(57)【要約】【課題】ディスクが２枚重なってクランプされた状態からでもディスクを１枚ずつ排出することができるディスク装置を得る。【解決手段】２枚重ねのディスク２ａ，２ｂを排出する際、ディスク搬送ローラ１３は、ディスク２ｂに接触する。また、ディスク押さえ部材１５は、ディスク２ａに接触して、ディスク２ａとディスク２ｂとの間の摩擦力よりも大きい摩擦力を働かせ、ディスク２ａの移動を抑止する。【選択図】図２
2017188177.tif 000002
【特許請求の範囲】
【請求項１】
ディスクに接触しながら回転して、ディスクを排出方向に移動する力を加えるディスク搬送ローラと、
２枚重ねのディスクが排出される際、
一方のディスクに接触し、当該一方のディスクと、前記ディスク搬送ローラにより排出方向に移動する力を加えられた他方のディスクとの間の摩擦力よりも大きい摩擦力を働かせて、当該一方のディスクの移動を抑止するディスク押さえ部材とを備えることを特徴とするディスク装置。
【請求項２】
前記ディスク押さえ部材は、ディスクをターンテーブルに押し付けるディスククランパを支持するアームクランパに固定されることを特徴とする請求項１記載のディスク装置。
【請求項３】
前記ディスク押さえ部材は、ディスクの挿入が検知されると、ディスクの挿入経路と交わらない位置に退避することを特徴とする請求項１または請求項２記載のディスク装置。
【発明の詳細な説明】
【技術分野】
【０００１】
この発明は、ディスクの再生又は記録を行うディスク装置に関する。
【背景技術】
【０００２】
ディスク装置は、誤ってディスクが２枚重なった状態で挿入されてしまわないように、その開口部の幅がディスク２枚分の厚みより小さくされる。しかしながら、ユーザが２枚のディスクをずらして挿入した場合等、ディスクの２枚同時挿入を完全に防ぐことは難しい。
また、例えば特許文献１には、ディスクが２枚重なった状態でディスク装置内に挿入されると、その挿入最中に一方のディスクをディスク装置から排出する装填機構が記載されている。しかしながら、ユーザがディスク装置内へディスクを強引に押し込みながら挿入しようとする場合等、ユーザの押し込み力が、挿入最中にディスクを排出しようとする力よりも大きくなって、２枚のディスクがディスク装置内へ挿入されてしまう可能性が考えられる。
【先行技術文献】
【特許文献】
【０００３】
【特許文献１】特開２００５―２２２６５１号公報
【発明の概要】
【発明が解決しようとする課題】
【０００４】
ディスクが２枚同時に挿入されるのを防ぎきれずに、デッキメカニズムによりディスク２枚が重なった状態でクランプされてしまった場合、ディスクの排出もディスク２枚が重なった状態で行われる。ところが、ディスク装置の開口部の幅は、ディスク２枚分の厚みより小さくされているので、ディスクが排出できなくなる可能性があった。
【０００５】
この発明は、上記のような課題を解決するためになされたもので、ディスクが２枚重なってクランプされた状態からでもディスクを１枚ずつ排出することができるディスク装置を得ることを目的とする。
【課題を解決するための手段】
【０００６】
この発明に係るディスク装置は、ディスクに接触しながら回転して、ディスクを排出方向に移動する力を加えるディスク搬送ローラと、２枚重ねのディスクが排出される際、一方のディスクに接触し、当該一方のディスクと、ディスク搬送ローラにより排出方向に移動する力を加えられた他方のディスクとの間の摩擦力よりも大きい摩擦力を働かせて、当該一方のディスクの移動を抑止するディスク押さえ部材とを備えることを特徴とするものである。
【発明の効果】
【０００７】
この発明によれば、２枚重ねのディスクが排出される際、ディスク押さえ部材が一方のディスクの移動を抑止するので、ディスクが２枚重なってクランプされた状態からでもディスクを１枚ずつ排出することができる。
【図面の簡単な説明】
【０００８】
【図１】この発明の実施の形態１に係るディスク装置の概略図である。
【図２】この発明の実施の形態１に係るディスク装置が、２枚重なってクランプされたディスクを排出する際の様子を示す図である。
【図３】この発明の実施の形態１に係るディスク装置が、２枚重なってクランプされたディスクを排出する際の様子を示す図であり、図２に続く様子を示す。
【図４】この発明の実施の形態１に係るディスク装置のディスク押さえ部材の変形例を示す図である。
【発明を実施するための形態】
【０００９】
実施の形態１．
図１は、この発明の実施の形態１に係るディスク装置１の概略的な構成を示す図である。ディスク装置１は、いわゆるスロットインタイプと称されるタイプのディスク装置である。
ディスク装置１は、その前面に開口部１０が形成されている。ディスク装置１の内部には、ディスク２の出し入れを行うデッキメカニズム１１が備えられている。デッキメカニズム１１は、ディスククランプ機構１２、ディスク搬送ローラ１３等を有する。
ディスク挿入の際は、ディスク装置１の外部から開口部１０を介してディスク２が内部へ挿入され、ディスク２は、図示の位置よりも紙面の上側に移動したディスク搬送ローラ１３によりデッキメカニズム１１へと装填される。このとき、デッキメカニズム１１内では、ディスククランプ機構１２によりディスク２がクランプされ、ディスク２が回転可能な状態にセットされる。
なお、不図示としたが、ディスク装置１は、光ピックアップ等の周知の構成部品も有している。
【００１０】
図１では、ディスク２がターンテーブル１４と一体回転可能なようにターンテーブル１４に支持され、ディスククランプ機構１２によりターンテーブル１４に向けて、つまり、図１の紙面の下側に向けてディスク２が押し付けられたクランプ状態を示している。ディスク搬送ローラ１３は、ディスク２をクランプ状態となる位置まで搬送すると、図示の位置に移動して、再生処理又は記録処理のために回転するディスク２に接触しないようにされる。
【００１１】
なお、図１では、ディスクが１枚クランプされた状態を示したが、ユーザが２枚のディスクをずらして開口部１０から挿入した場合等には、ディスクが２枚クランプされた状態となる。
ここで、図２に、２枚重なってクランプされたディスク２ａ，２ｂを排出する際の様子について示す。また、図２では、ディスククランプ機構１２についてより詳細に示している。ディスククランプ機構１２は、ディスククランパ１２ａとアームクランパ１２ｂとを有する。
ディスククランパ１２ａは、アームクランパ１２ｂの先端部に、アームクランパ１２ｂに対して回転自在に支持されている。従って、ディスククランパ１２ａは、ディスク２ａに押し付けられた状態でも、ディスク２ａの回転を妨げることはない。
アームクランパ１２ｂは、不図示の駆動機構によって、ディスククランパ１２ａをターンテーブル１４に向けて押し付ける方向と、ディスククランパ１２ａをターンテーブル１４から遠ざける方向とに移動される。
【００１２】
ディスク２ａ，２ｂの排出時、ディスク搬送ローラ１３は、クランプされたディスク２ａ，２ｂをわずかに持ち上げるような位置に移動してディスク２ｂに接触し、ディスク２ａ，２ｂを排出する方向に回転する。当該方向は、図２において反時計回りの方向である。また、アームクランパ１２ｂは、ディスククランパ１２ａをターンテーブル１４から遠ざける方向に移動して、ディスククランパ１２ａをターンテーブル１４に押し付けるのを解除する。このとき、ディスク２ａ，２ｂはアームクランパ１２ｂに対してわずかに傾いて、両者の間に形成される隙間が、紙面の右側ほど狭くなっている。
【００１３】
図２に示すように、ディスククランプ機構１２のアームクランパ１２ｂには、クランプされたディスク２ａと対向する位置に、ディスク押さえ部材１５が設けられている。ディスク押さえ部材１５は、例えば略直方体の部材で、アームクランパ１２ｂに例えば接着により固定されている。
ディスク排出時、このディスク押さえ部材１５が、クランプされた２枚のディスク２ａ，２ｂのうちのディスク２ａに接触する。ディスク２ａは、重なった２枚のディスク２ａ，２ｂのうち、ディスク押さえ部材１５側に位置するディスクである。
【００１４】
ディスク２ｂが、排出方向に回転するディスク搬送ローラ１３に接触している一方、ディスク２ａは、ディスク押さえ部材１５に接触している。そして、ディスク押さえ部材１５は、図２のようにディスク２ａと接触した際に、ディスク２ａとディスク２ｂとの間で働く摩擦力よりも、ディスク２ａとディスク押さえ部材１５との間で働く摩擦力の方が大きくなるように、その素材及び接触面積が設計されている。ディスク押さえ部材１５は、例えば、ゴム、プラスチック等で構成される。
【００１５】
従って、ディスク２ａ，２ｂのうち、ディスク搬送ローラ１３に接触して排出方向に移動する力を加えられたディスク２ｂのみが、まずはディスク装置１の外部へと排出される。
ディスク２ｂが排出されると、ディスク２ａはディスク押さえ部材１５から離れてディスク搬送ローラ１３に接触し、ディスク搬送ローラ１３により排出方向に移動する力を加えられて、ディスク装置１の外部へと排出される。このときの状態を図３に示す。
【００１６】
なお、クランプされたディスクが１枚だけの場合、その排出時の状態は、図３に示すものと同様となる。つまり、この場合、ディスク押さえ部材１５がディスクに接触することはなく、その排出が妨げられることは無い。
また、クランプされたディスクが１枚だけで、通常の再生処理又は記録処理が行われる場合、ディスクは、不図示のスピンドルモータにより回転するターンテーブル１４と一体的に回転することになる。このとき、アームクランパ１２ｂは、ディスクに対して平行に置かれることとなり、ディスククランパ１２ａでディスクをターンテーブル１４へ押し付けていても、ディスク押さえ部材１５とディスクとの間に隙間を確保することができる。従って、再生処理又は記録処理時のディスクの回転が妨げられることは無い。
【００１７】
このように、ディスク押さえ部材１５を設けることで、クランプされた２枚重ねのディスク２ａ，２ｂを排出する際、ディスク押さえ部材１５が一方のディスク２ａに接触し、ディスク搬送ローラ１３が他方のディスク２ｂに接触するようにする。すると、ディスク２ａとディスク押さえ部材１５との間に働く摩擦力により、ディスク２ａはその移動が抑止されディスク装置１の内部に留まった状態で、まずはディスク２ｂのみが排出される。そして、その後に続いて、ディスク２ａがディスク搬送ローラ１３により排出される。これにより、ディスク２ａ，２ｂが２枚重なってクランプされた状態からでもディスクを１枚ずつ排出することができる。
ディスク押さえ部材１５は、ディスクの挿入時には図２及び図３に示すようにターンテーブル１４から離れる方向に移動しているアームクランパ１２ｂに設けられることで、ディスク１枚が通常通りに挿入される際、その動作を妨げることは無い。
【００１８】
なお、上記では、ディスク押さえ部材１５をアームクランパ１２ｂに設けた例を示した。しかしながら、ディスク押さえ部材１５は、ディスク排出の際に、ディスク２のディスク面Ａを含む平面を境にして区画された２つの空間のうち、ディスク搬送ローラ１３が位置する空間ではない方の空間に、当該平面と離れて位置し、かつ、排出の対象が２枚のディスク２ａ，２ｂである場合にディスク押さえ部材１５側のディスク２ａに接触可能なように、ディスク装置１内の適宜の位置に設けられていればよい。その際、ディスク挿入時にディスクに接触しない位置に設けられるよう配慮すれば、ディスクの挿入作業がスムーズに行えて好ましい。ディスク２のディスク面Ａは、ディスク２が有する２つのディスク面のうち、各図における紙面の上側に位置する方のディスク面を指し、ディスク搬送ローラ１３と接触しないディスク面である。
【００１９】
あるいは、ディスクが挿入される際、挿入中のディスクに接触するのをより確実に防ぐために、ディスクの挿入と連動して当該ディスクの挿入経路と交わらない位置に退避するディスク押さえ部材１５としてもよい。例えば、図４に示すようにアームクランパ１２ｂに開口部１２ｃを設け、ディスク押さえ部材１５が、ディスクの挿入が検知されると不図示の昇降機構により開口部１２ｃを通って図４における紙面の上側に移動するように構成する。ディスクの挿入は、例えば光透過センサにより検知することが可能である。
しかしながら、アームクランパ１２ｂに固定してディスク押さえ部材１５を設けた場合は、アームクランパ１２ｂというディスク装置１を構成する既存の部品を利用するので、追加部品はディスク押さえ部材１５だけで済むという利点がある。また、アームクランパ１２ｂそのものを、ディスクの挿入が検知されると当該ディスクの挿入経路と交わらない位置に退避するように構成することで、アームクランパ１２ｂに固定したディスク押さえ部材１５もディスクの挿入経路と交わらない位置に一緒に退避するようにしてもよい。
【００２０】
以上のように、この実施の形態１に係るディスク装置１によれば、２枚重ねのディスク２ａ，２ｂを排出する際、ディスク押さえ部材１５が、ディスク２ａに接触して、ディスク２ａとディスク２ｂとの間の摩擦力よりも大きい摩擦力を働かせることでディスク２ａの移動を抑止し、ディスク搬送ローラ１３によりディスク２ｂを排出してから、ディスク２ａを排出する。従って、ディスク２ａ，２ｂが２枚重なってクランプされた状態からでも、ディスク２ａ，２ｂを１枚ずつ排出することができる。
【００２１】
また、ディスク押さえ部材１５は、ディスクをターンテーブル１４に押し付けるディスククランパ１２ａを支持するアームクランパ１２ｂに固定されることとした。このように、アームクランパ１２ｂというディスク装置１を構成する既存の部品を利用して、ディスク押さえ部材１５を設けることができる。
【００２２】
また、ディスク押さえ部材１５は、ディスクの挿入が検知されると、ディスクの挿入経路と交わらない位置に退避することとした。このようにすると、ディスク押さえ部材１５を設けていても、スムーズなディスクの挿入作業をより確実に行うことができる。
【００２３】
なお、本願発明はその発明の範囲内において、実施の形態の任意の構成要素の変形、もしくは実施の形態の任意の構成要素の省略が可能である。
【符号の説明】
【００２４】
１  ディスク装置、２，２ａ，２ｂ  ディスク、１０  開口部、１１  デッキメカニズム、１２  ディスククランプ機構、１２ａ  ディスククランパ、１２ｂ  アームクランパ、１２ｃ  開口部、１３  ディスク搬送ローラ、１４  ターンテーブル、１５  ディスク押さえ部材。
【図１】
2017188177.tif 000003
【図２】
2017188177.tif 000004
【図３】
2017188177.tif 000005
【図４】
2017188177.tif 000006